(57)【要約】      （修正有）【課題】エクステンション装着のレッスンを含めた複数種のレッスンに対応できる美容および／または理容技術レッスン用マネキン顔を提供する。【解決手段】美容および／または理容技術レッスン用マネキン顔１０は、顔本体、睫毛植毛区域をもつ瞼部分含む目相当部分を取り替え可能とするため、前記顔本体の両目相当分に形成された一対のパーツ嵌め込み用開口１４ａ、１４ｂ、およびこれらのパーツ嵌め込み用開口１４ａ、１４ｂに取り外し可能に嵌合する目部分用パーツ１８ａ、１８ｂを備え、目部分用パーツ１８ａ、１８ｂとして、人間の睫毛が生えている箇所と同じ瞼の端部に、睫毛エクステンションを装着するための練習用睫毛であって、色の異なる練習用睫毛が植毛された第１目部分用パーツのセット、および開眼しており、複数の色の瞳を備える第２目部分用パーツのセットを備えている。【選択図】図１
0003222041.tif 000002
【実用新案登録請求の範囲】
【請求項１】
美容および／または理容のための技術レッスン用マネキン顔の保護マスクであって、顔本体、睫毛植毛区域をもつ瞼部分含む目相当部分を取り替え可能とするため、前記顔本体の両目相当分に形成された一対のパーツ嵌め込み用開口、およびこれらのパーツ嵌め込み用開口に取り外し可能に嵌合する目部分用パーツを備え、
前記目部分用パーツとして、人間の睫毛が生えている箇所と同じ瞼の端部に、睫毛エクステンションを装着するための練習用睫毛であって、色の異なる練習用睫毛が植毛された第１目部分用パーツのセット、および開眼しており、複数の色の瞳を備える第２目部分用パーツのセットを備えていることを特徴とする技術レッスン用マネキン顔。
【請求項２】
前記第１目部分用パーツのセットが、前記練習用睫毛の配置が、実際の人間のものに合わせて種々に異なったものが準備された目部分用パーツを備えた請求項１の技術レッスン用マネキン顔。
【請求項３】
前記練習用睫毛の太さが実際の人間のものに合わせて種々に異なったものが準備された目部分用パーツを備えた請求項１または２の技術レッスン用マネキン顔。
【請求項４】
色および／または長さが異なった毛髪を持つ複数のウィッグを有するウィッグセットを備えた請求項１〜３のいずれかの技術レッスン用マネキン顔。
【請求項５】
前記ウィッグの毛髪が、染色、脱色が可能な合成タンパク系繊維で形成されている請求項４の技術レッスン用マネキン顔。
【請求項６】
前記ウィッグの毛髪が、人毛で形成されている請求項４の技術レッスン用マネキン顔。
【考案の詳細な説明】
【技術分野】
【０００１】
本考案は、技術レッスン用マネキン顔に関し、更に詳細には、美容および／または理容ための技術レッスン用マネキン顔に関する。
【背景技術】
【０００２】
上記のような技術レッスン用マネキン顔としては、例えば、睫毛エクステンション装着練習用マネキン顔が知られている。
睫毛エクステンション（以下、単にエクステンションと称することがある）は、例えば特許第４９８１９８３号公報に示されているように、人間の睫毛一本一本に装着される。その装着作業は、例えばまつげエクステ技術者等と呼ばれている施術者により行われている。しかしながら、その装着時間には相当の時間を要し。しかも、この装着時には、ピンセット等が用いられて行われるため、危険が伴う。
【０００３】
したがって、その装着には、熟練が必要であり、そのため、十分な練習が必要である。従来は、この練習を、付け睫毛を紙コップやマネキン顔に付け、その付け睫毛の人口毛を用いて行われていた。
しかしながら、従来のように、土台が紙コップでは臨場感に乏しく、かつエクステンションを装着する素材が付け睫毛では、人間の睫毛とはその間隔、配列が大いに異なり、良好な装着練習を行うことができないという問題があった。
【０００４】
そこで、本考案の考案者は、マネキン顔に練習用の睫毛を人間に近い状態で植毛し、これをエクステンション装着用として用いることを考えた。
【先行技術文献】
【特許文献】
【０００５】
【特許文献１】特許第４９８１９８３号公報
【考案の概要】
【考案が解決しようとする課題】
【０００６】
以上のように、美容および／または理容ための技術レッスン用マネキン顔は公知のものであったが、美容および／または理容ための技術レッスンとしては、上記のエクステンションの装着の他、カット等種々あり、その目的ごとにマネキン顔を準備しなければならず、不経済であった。
【０００７】
そこで、本考案は、エクステンション装着のレッスンを含めた複数種のレッスンに対応できる美容および／または理容技術レッスン用マネキン顔を提供することを目的とするものである。
【課題を解決するための手段】
【０００８】
本考案の上記課題は、以下の（１）〜（６）の構造の美容および／または理容技術レッスン用マネキン顔によって達成することができる。
（１）
美容および／または理容のための技術レッスン用マネキン顔であって、顔本体、睫毛植毛区域をもつ瞼部分含む目相当部分を取り替え可能とするため、前記顔本体の両目相当分に形成された一対のパーツ嵌め込み用開口、およびこれらのパーツ嵌め込み用開口に取り外し可能に嵌合する目部分用パーツを備え、
前記目部分用パーツとして、人間の睫毛が生えている箇所と同じ瞼の端部に、睫毛エクステンションを装着するための練習用睫毛であって、色の異なる練習用睫毛が植毛された第１目部分用パーツのセット、および開眼しており、複数の色の瞳を備える第２目部分用パーツのセットを備えていることを特徴とする技術レッスン用マネキン顔。
（２）
前記第１目部分用パーツのセットが、前記練習用睫毛の配置が、実際の人間のものに合わせて種々に異なったものが準備された目部分用パーツを備えた前記（１）の技術レッスン用マネキン顔。
（３）
前記練習用睫毛の太さが実際の人間のものに合わせて種々に異なったものが準備された目部分用パーツを備えた前記（１）または（２）の技術レッスン用マネキン顔。
（４）
色および／または長さが異なった毛髪を持つ複数のウィッグを有するウィッグセットを備えた前記（１）〜（３）のいずれかの技術レッスン用マネキン顔。
（５）
前記ウィッグの毛髪が、染色、脱色が可能な合成タンパク系繊維で形成されている前記（４）の技術レッスン用マネキン顔。
（６）
前記ウィッグの毛髪が、人毛で形成されている前記（４）の技術レッスン用マネキン顔。
【考案の効果】
【０００９】
本考案においては、練習者等が、必要に応じて、技術レッスン用マネキン顔の目部分用パーツやウィッグを変えることにより、当該技術レッスン用マネキン顔を目的に沿ったものとすることができ、種々のレッスンに適用できるようになる。
以上により、技術レッスン用マネキン顔の主要部分である顔本体を、多種のレッスンに共通して用いることができ、経済的である。
また、使用済みで廃棄しなければならないものが、パーツのみとなるので、地球環境に考慮したものである。
【図面の簡単な説明】
【００１０】
【図１】本考案の実施の形態による技術レッスン用マネキン顔の平面図である。
【図２】図１のマネキン顔において、目部分用パーツを取り外した状態の平面図である。
【図３】第１の目部分用パーツの例を示す図である。
【図４】第２の目部分用パーツの例を示す図である。
【考案を実施するための形態】
【００１１】
以下、添付図面を参照しつつ、本考案の実施形態による技術レッスン用マネキン顔について説明する。なお、ここで睫毛エクステンションとは、人間の睫毛を延長するために用いられる人口睫毛であって、人間の睫毛の一本一本に装着されて使用される。
【００１２】
本考案の実施形態による技術レッスン用マネキン顔１０は、全体としては、臨場感を持たせるため、図１に示したように、人間の顔に近い構成配置や凹凸となっている。この技術レッスン用マネキン顔１０は、図２に示したような顔本体１２（図２では、この顔本体１２にウィッグが装着されている）を有し、その全体がシリコーン樹脂のような人間の肌の感触に近い素材で形成されていることが好ましい。
なお、図示はしていないが、本技術レッスン用マネキン顔１０の頭部後部は、平坦になっていることが好ましい。この平坦を利用して、技術レッスン用マネキン顔１０を平坦な台（机）等の上に配置し、エクステンションの装着練習ができるようにするためである。
【００１３】
この技術レッスン用マネキン顔１０は、さらに、睫毛植毛区域をもつ瞼部分含む目相当部分を取り替え可能とするため、前記顔本体１２の両目相当分に形成された一対のパーツ嵌め込み用開口１４ａ、１４ｂ、およびこれらのパーツ嵌め込み用開口１４ａ、１４ｂに取り外し可能に嵌合する目部分用パーツを備えている。
【００１４】
前記目部分用パーツとして、人間の睫毛が生えている箇所と同じ瞼の端部に、睫毛エクステンションを装着するための練習用睫毛であって、色の異なる練習用睫毛１７ａ、１７ｂが植毛された第１目部分用パーツ１６ａ、１６ｂのセット、および開眼しており、複数の色の瞳１９ａ、１９ｂを備える第２目部分用パーツ１８ａ、１８ｂのセットを備えている。すなわち、図３に示した一対のパーツとは異なった色の睫毛が植毛された数対のパーツのセット、および図４に示した一対のパーツとは異なった色の瞳を持つ数対のパーツのセットが準備されている。
【００１５】
前記第１目部分用パーツのセットは、前記練習用睫毛の配置や太さが、実際の人間のものに合わせて種々に異なったものが準備されていてもよい。
【００１６】
上記この取り替え用の目部分用パーツも、上記したシリコーン樹脂のような人間の肌の感触に近い素材で形成され、マネキン顔本体１２に装着されたとき、特別な手段を用いずに、マネキン顔本体１２に対して固定されるものが好ましい。勿論、予め顔本体１２と目部分用パーツに磁石等を配置しておき、その作用で装着・固定しても良い。
【００１７】
上記練習用睫毛１７ａ、１７ｂは、例えば、合成樹脂（典型的には、ナイロン、ポリプチレンテレフタレート、ポリエステル、アクリル、塩化ビニール）、または天然素材の材料（例えば、動物由来の材料（典型的には、人毛、獣毛（狸、ミンクなどの毛）、または、シルク）、植物由来の材料（典型的には綿））から形成されている。この練習用睫毛１４の素材は、エクステンション（図示せず）の装着練習用になるならどのような素材を用いることも可能である。
【００１８】
本技術レッスン用マネキン顔１０は、色および／または長さが異なった毛髪を持つ複数のウィッグ２０を有するウィッグセットを備えていることが好ましい。
前記ウィッグの毛髪２０は、染色、脱色が可能な合成タンパク系繊維、あるいは人毛で形成されていることが好ましい。
これにより、この技術レッスン用マネキン顔１０を用いてレッスンを行うものは、目部分用パーツ１８ａ、１８ｂの目の色と、染色の色（頭髪の色）とが、マッチするかどうかを判断しつつ、頭髪の染毛のレッスンを行うことができる。
【００１９】
以上説明したように、本考案においては、目相当部分やウィッグが取り替え可能であるので、多種のレッスンに対応できると共に、目相当部分を除いてマネキン顔自体は繰り返し使用することができるので、極めて経済的であるとともに、廃棄物を減少することができ、地球環境の汚染防止にも役立つものである。
【符号の説明】
【００２０】
１０  技術レッスン用マネキン顔
１２  顔本体
１４ａ、１４ｂ    パーツ嵌め込み用開口
１６ａ、１６ｂ  目部分用パーツ
１８ａ、１８ｂ  目部分用パーツ
２０  ウィッグ
【図１】
0003222041.tif 000003
【図２】
0003222041.tif 000004
【図３】
0003222041.tif 000005
【図４】
0003222041.tif 000006